(57)【特許請求の範囲】
【請求項１】
パケット網及び電話網に接続され、通信開始に先立って、前記パケット網上のゲートキーパ装置に対してネットワーク帯域割り当て要求を行い、その割り当て要求に応じて前記ゲートキーパ装置から割り当てられるネットワーク帯域である割当ネットワーク帯域の範囲内で前記パケット網を介した通信を行う一方、前記パケット網を介してゲートウェイ装置またはネットワークファクシミリ装置である相手端末装置から受信するパケット化されたファクシミリ制御信号をモデム信号にリアルタイム変換して前記電話網を介してファクシミリ装置に送信すると共に、前記電話網を介して前記ファクシミリ装置からモデム信号として受信したファクシミリ制御信号をリアルタイムでパケット化して前記パケット網を介して前記相手端末装置に送信することにより、前記パケット網上の相手端末装置と前記電話網上のファクシミリ装置との間のリアルタイムファクシミリ通信を可能とするゲートウェイ装置であって、
前記ファクシミリ装置と前記相手端末装置との間で設定される通信速度に相当する必要ネットワーク帯域が、前記割当ネットワーク帯域以下となるように調節する通信速度／ネットワーク帯域調節手段を備え、
前記通信速度／ネットワーク帯域調節手段は、発信側の前記ファクシミリ装置から前記電話網を介して受信した所定のファクシミリ制御信号の情報内容として含まれる設定通信速度に相当する必要ネットワーク帯域が、前記割当ネットワーク帯域より広い場合には、発信側の前記ファクシミリ装置から前記電話網を介して受信した所定のモデムトレーニング信号に対して、前記発信側のファクシミリ装置から再送信されてくる前記所定のファクシミリ制御信号により通知される設定通信速度に相当する必要ネットワーク帯域が前記割当ネットワーク帯域以下になるまで、前記発信側のファクシミリ装置に対してダミーのトレーニング失敗信号を送信することを特徴とするゲートウェイ装置。
【請求項２】
パケット網及び電話網に接続され、通信開始に先立って、前記パケット網上のゲートキーパ装置に対してネットワーク帯域割り当て要求を行い、その割り当て要求に応じて前記ゲートキーパ装置から割り当てられるネットワーク帯域である割当ネットワーク帯域の範囲内で前記パケット網を介した通信を行う一方、前記パケット網を介してゲートウェイ装置またはネットワークファクシミリ装置である相手端末装置から受信するパケット化されたファクシミリ制御信号をモデム信号にリアルタイム変換して前記電話網を介してファクシミリ装置に送信すると共に、前記電話網を介して前記ファクシミリ装置からモデム信号として受信したファクシミリ制御信号をリアルタイムでパケット化して前記パケット網を介して前記相手端末装置に送信することにより、前記パケット網上の相手端末装置と前記電話網上のファクシミリ装置との間のリアルタイムファクシミリ通信を可能とするゲートウェイ装置であって、
前記ファクシミリ装置と前記相手端末装置との間で設定される通信速度に相当する必要ネットワーク帯域が、前記割当ネットワーク帯域以下となるように調節する通信速度／ネットワーク帯域調節手段を備え、
前記通信速度／ネットワーク帯域調節手段は、発信側の前記相手端末装置から前記パケット網を介して受信した所定のファクシミリ制御信号の情報内容として含まれる設定通信速度に相当する必要ネットワーク帯域が、前記割当ネットワーク帯域より広い場合には、発信側の前記相手端末装置から前記パケット網を介して受信したモデムトレーニング信号に対して、前記発信側の相手端末装置から再送信されてくる所定のファクシミリ制御信号により通知される設定通信速度に相当する必要ネットワーク帯域が前記割当ネットワーク帯域以下になるまで、前記発信側の相手端末装置に対してダミーのトレーニング失敗信号を送信することを特徴とするゲートウェイ装置。
【請求項３】
パケット網及び電話網に接続され、通信開始に先立って、前記パケット網上のゲートキーパ装置に対してネットワーク帯域割り当て要求を行い、その割り当て要求に応じて前記ゲートキーパ装置から割り当てられるネットワーク帯域である割当ネットワーク帯域の範囲内で前記パケット網を介した通信を行う一方、前記パケット網を介してゲートウェイ装置またはネットワークファクシミリ装置である相手端末装置から受信するパケット化されたファクシミリ制御信号をモデム信号にリアルタイム変換して前記電話網を介してファクシミリ装置に送信すると共に、前記電話網を介して前記ファクシミリ装置からモデム信号として受信したファクシミリ制御信号をリアルタイムでパケット化して前記パケット網を介して前記相手端末装置に送信することにより、前記パケット網上の相手端末装置と前記電話網上のファクシミリ装置との間のリアルタイムファクシミリ通信を可能とするゲートウェイ装置の制御方法であって、
発信側の前記ファクシミリ装置から前記電話網を介して受信した所定のファクシミリ制御信号の情報内容として含まれる設定通信速度に相当する必要ネットワーク帯域が、前記割当ネットワーク帯域より広い場合には、発信側の前記ファクシミリ装置から前記電話網を介して受信したモデムトレーニング信号に対して、前記発信側のファクシミリ装置から再送信されてくる所定のファクシミリ制御信号により通知される設定通信速度に相当する必要ネットワーク帯域が前記割当ネットワーク帯域以下になるまで、前記発信側のファクシミリ装置に対してダミーのトレーニング失敗信号を送信することにより、前記ファクシミリ装置と前記相手端末装置との間で設定される通信速度に相当する必要ネットワーク帯域が、前記割当ネットワーク帯域以下となるように調節することを特徴とするゲートウェイ装置の制御方法。
【請求項４】
パケット網及び電話網に接続され、通信開始に先立って、前記パケット網上のゲートキーパ装置に対してネットワーク帯域割り当て要求を行い、その割り当て要求に応じて前記ゲートキーパ装置から割り当てられるネットワーク帯域である割当ネットワーク帯域の範囲内で前記パケット網を介した通信を行う一方、前記パケット網を介してゲートウェイ装置またはネットワークファクシミリ装置である相手端末装置から受信するパケット化されたファクシミリ制御信号をモデム信号にリアルタイム変換して前記電話網を介してファクシミリ装置に送信すると共に、前記電話網を介して前記ファクシミリ装置からモデム信号として受信したファクシミリ制御信号をリアルタイムでパケット化して前記パケット網を介して前記相手端末装置に送信することにより、前記パケット網上の相手端末装置と前記電話網上のファクシミリ装置との間のリアルタイムファクシミリ通信を可能とするゲートウェイ装置の制御方法であって、
発信側の前記相手端末装置から前記パケット網を介して受信した所定のファクシミリ制御信号の情報内容として含まれる設定通信速度に相当する必要ネットワーク帯域が、前記割当ネットワーク帯域より広い場合には、発信側の前記相手端末装置から前記パケット網を介して受信したモデムトレーニング信号に対して、前記発信側の相手端末装置から再送信されてくる所定のファクシミリ制御信号により通知される設定通信速度に相当する必要ネットワーク帯域が前記割当ネットワーク帯域以下になるまで、前記発信側の相手端末装置に対してダミーのトレーニング失敗信号を送信することにより、前記ファクシミリ装置と前記相手端末装置との間で設定される通信速度に相当する必要ネットワーク帯域が、前記割当ネットワーク帯域以下となるように調節することを特徴とするゲートウェイ装置の制御方法。
【請求項５】
パケット網及び電話網に接続されたゲートウェイ装置が、通信開始に先立って、前記パケット網上のゲートキーパ装置に対してネットワーク帯域割り当て要求を行い、その割り当て要求に応じて前記ゲートキーパ装置から割り当てられるネットワーク帯域である割当ネットワーク帯域の範囲内で前記パケット網を介した通信を行う一方、前記ゲートウェイ装置が前記パケット網を介して他のゲートウェイ装置またはネットワークファクシミリ装置である相手端末装置から受信するパケット化されたファクシミリ制御信号をモデム信号にリアルタイム変換して前記電話網を介してファクシミリ装置に送信すると共に、前記電話網を介して前記ファクシミリ装置からモデム信号として受信したファクシミリ制御信号をリアルタイムでパケット化して前記パケット網を介して前記相手端末装置に送信することにより、前記パケット網上の相手端末装置と前記電話網上のファクシミリ装置との間のリアルタイムファクシミリ通信を可能とする通信システムであって、
前記ゲートウェイ装置は、前記ファクシミリ装置と前記相手端末装置との間で設定される通信速度に相当する必要ネットワーク帯域が、前記割当ネットワーク帯域以下となるように調節する通信速度／ネットワーク帯域調節手段を備え、
前記通信速度／ネットワーク帯域調節手段は、発信側の前記ファクシミリ装置から前記電話網を介して受信した所定のファクシミリ制御信号の情報内容として含まれる設定通信速度に相当する必要ネットワーク帯域が、前記割当ネットワーク帯域より広い場合には、発信側の前記ファクシミリ装置から前記電話網を介して受信したモデムトレーニング信号に対して、前記発信側のファクシミリ装置から再送信されてくる前記所定のファクシミリ制御信号により通知される設定通信速度に相当する必要ネットワーク帯域が前記割当ネットワーク帯域以下になるまで、前記発信側のファクシミリ装置に対してダミーのトレーニング失敗信号を送信することを特徴とする通信システム。
【請求項６】
パケット網及び電話網に接続されたゲートウェイ装置が、通信開始に先立って、前記パケット網上のゲートキーパ装置に対してネットワーク帯域割り当て要求を行い、その割り当て要求に応じて前記ゲートキーパ装置から割り当てられるネットワーク帯域である割当ネットワーク帯域の範囲内で前記パケット網を介した通信を行う一方、前記ゲートウェイ装置が前記パケット網を介して他のゲートウェイ装置またはネットワークファクシミリ装置である相手端末装置から受信するパケット化されたファクシミリ制御信号をモデム信号にリアルタイム変換して前記電話網を介してファクシミリ装置に送信すると共に、前記電話網を介して前記ファクシミリ装置からモデム信号として受信したファクシミリ制御信号をリアルタイムでパケット化して前記パケット網を介して前記相手端末装置に送信することにより、前記パケット網上の相手端末装置と前記電話網上のファクシミリ装置との間のリアルタイムファクシミリ通信を可能とする通信システムであって、
前記ゲートウェイ装置は、前記ファクシミリ装置と前記相手端末装置との間で設定される通信速度に相当する必要ネットワーク帯域が、前記割当ネットワーク帯域以下となるように調節する通信速度／ネットワーク帯域調節手段を備え、
前記通信速度／ネットワーク帯域調節手段は、発信側の前記相手端末装置から前記パケット網を介して受信した所定のファクシミリ制御信号の情報内容として含まれる設定通信速度に相当する必要ネットワーク帯域が、前記割当ネットワーク帯域より広い場合には、発信側の前記相手端末装置から前記パケット網を介して受信したモデムトレーニング信号に対して、前記発信側の相手端末装置から再送信されてくる前記所定のファクシミリ制御信号により通知される設定通信速度に相当する必要ネットワーク帯域が前記割当ネットワーク帯域以下になるまで、前記発信側の相手端末装置に対してダミーのトレーニング失敗信号を送信することを特徴とする通信システム。
【請求項７】
送信側通信端末から受信した画情報を着信側通信端末へ送信するゲートウェイ装置であって、
前記着信側通信端末との通信で利用可能な帯域を表す割当ネットワーク帯域値を保持する保持手段と、
前記着信側通信端末から通知された通信速度に基づく通信をするために必要な必要ネットワーク帯域値を取得する取得手段と、
前記保持手段が保持する割当ネットワーク帯域値と前記取得手段が取得した必要ネットワーク帯域値とを比較する比較手段と、
前記割当ネットワーク帯域値が前記必要ネットワーク帯域値よりも小さいと前記比較手段が判断した場合には、該割当ネットワーク帯域値以下のネットワーク帯域値に基づいて、送信側通信端末から受信した画情報を着信側通信端末へ送信する送信手段とを備え、
前記着信側通信端末から通知された通信速度を、前記保持手段が保持する割当ネットワーク帯域値以下のネットワーク帯域値に対応する通信速度へ変換する変換手段と、
前記変換手段が変換した通信速度を前記送信側通信端末へ通知する通知手段と
をさらに備えたことを特徴とするゲートウェイ装置。
【請求項８】
送信側通信端末から受信した画情報を着信側通信端末へ送信するゲートウェイ装置であって、
前記着信側通信端末との通信で利用可能な帯域を表す割当ネットワーク帯域値を保持する保持手段と、
前記着信側通信端末から通知された通信速度に基づく通信をするために必要な必要ネットワーク帯域値を取得する取得手段と、
前記保持手段が保持する割当ネットワーク帯域値と前記取得手段が取得した必要ネットワーク帯域値とを比較する比較手段と、
前記割当ネットワーク帯域値が前記必要ネットワーク帯域値よりも小さいと前記比較手段が判断した場合には、該割当ネットワーク帯域値以下のネットワーク帯域値に基づいて、送信側通信端末から受信した画情報を着信側通信端末へ送信する第一の送信制御を行い、
前記割当ネットワーク帯域値が前記必要ネットワーク帯域値よりも大きいと前記比較手段が判断した場合には、該必要ネットワーク帯域値に基づいて、送信側通信端末から受信した画情報を着信側通信端末へ送信する第二の送信制御を行う送信手段とを備え、
前記着信側通信端末から通知された通信速度を、前記保持手段が保持する割当ネットワーク帯域値以下のネットワーク帯域値に対応する通信速度へ変換する変換手段と、
前記変換手段が変換した通信速度を前記送信側通信端末へ通知する通知手段と
をさらに備えたことを特徴とするゲートウェイ装置。
【請求項９】
請求項７または８のいずれかに記載されたゲートウェイ装置であって、
前記着信側通信端末から通知された通信速度はファクシミリ通信のディジタル識別信号ＤＩＳにより通知されたことを特徴とするゲートウェイ装置。
【請求項１０】
送信側通信端末から受信した画情報を着信側通信端末へ送信するゲートウェイ装置であって、
前記着信側通信端末との通信で利用可能な帯域を表す割当ネットワーク帯域値を保持する保持手段と、
前記着信側通信端末から通知された通信速度に応じて前記送信側通信端末から通知された通信速度に基づく通信をするために必要な必要ネットワーク帯域値を取得する取得手段と、
前記保持手段が保持する割当ネットワーク帯域値と前記取得手段が取得した必要ネットワーク帯域値とを比較する比較手段と、
前記割当ネットワーク帯域値が前記必要ネットワーク帯域値よりも小さいと前記比較手段が判断した場合には、該割当ネットワーク帯域値以下のネットワーク帯域値に基づいて、送信側通信端末から受信した画情報を着信側通信端末へ送信する送信手段とを備え、
ダミーのトレーニング失敗信号を前記送信側端末装置へ送信することにより、前記送信側通信端末から通知される通信速度に対応する必要ネットワーク帯域値を、前記保持手段が保持する割当ネットワーク帯域値以下のネットワーク帯域値にさせるトレーニング失敗信号送信手段を
さらに備えたことを特徴とするゲートウェイ装置。
【請求項１１】
送信側通信端末から受信した画情報を着信側通信端末へ送信するゲートウェイ装置であって、
前記着信側通信端末との通信で利用可能な帯域を表す割当ネットワーク帯域値を保持する保持手段と、
前記着信側通信端末から通知された通信速度に応じて前記送信側通信端末から通知された通信速度に基づく通信をするために必要な必要ネットワーク帯域値を取得する取得手段と、
前記保持手段が保持する割当ネットワーク帯域値と前記取得手段が取得した必要ネットワーク帯域値とを比較する比較手段と、
前記割当ネットワーク帯域値が前記必要ネットワーク帯域値よりも小さいと前記比較手段が判断した場合には、該割当ネットワーク帯域値以下のネットワーク帯域値に基づいて、送信側通信端末から受信した画情報を着信側通信端末へ送信する第一の送信制御を行い、
前記割当ネットワーク帯域値が前記必要ネットワーク帯域値よりも大きいと前記比較手段が判断した場合には、該必要ネットワーク帯域値に基づいて、送信側通信端末から受信した画情報を着信側通信端末へ送信する第二の送信制御を行う送信手段とを備え、
ダミーのトレーニング失敗信号を前記送信側端末装置へ送信することにより、前記送信側通信端末から通知される通信速度に対応する必要ネットワーク帯域値を、前記保持手段が保持する割当ネットワーク帯域値以下のネットワーク帯域値にさせるトレーニング失敗信号送信手段を
さらに備えたことを特徴とするゲートウェイ装置。
【請求項１２】
請求項１０または１１のいずれかに記載されたゲートウェイ装置であって、
前記送信側通信端末から通知された通信速度はファクシミリ通信のディジタル送信命令信号ＤＣＳにより通知されたことを特徴とするゲートウェイ装置。
【発明の詳細な説明】
【０００１】
【発明の属する技術分野】
本発明は、電話網及びパケット網経由のリアルタイムファクシミリ通信を行う、ゲートウェイ装置及びその制御方法、並びに通信システムに関する。
【０００２】
【従来の技術】
公衆回線網を介したファクシミリ通信、具体的には、例えば、ＩＴＵ−Ｔ勧告Ｔ．３０に準拠したＧ（グループ）３ファクシミリ通信は、送信側端末と受信側端末とが直接ファクシミリ制御信号をやりとりしつつファクシミリメッセージの送受信を行う、リアルタイムの通信形態のため、送信側端末と受信側端末との間の能力交換が可能であり、また、通信中に受信側端末に受信エラーが生じれば、送信側端末でもファクシミリ制御信号の受信側端末とのやりとりに障害がでて送信エラーとなるため、送信側端末としては、ファクシミリメッセージを受信側端末に正しく送信できたか否かの判断が容易であるという利点がある。
【０００３】
その反面、公衆回線網を介したファクシミリ通信は、通信時間に応じた通信料金が課金されしまう欠点がある。
【０００４】
一方、インターネット等のパケット網においては、電子メールによる通信がよく用いられる。電子メールによるネットワーク通信は、通信料金が基本的に無料であるという利点がある。
【０００５】
その反面、電子メールによるネットワーク通信は、送信側端末と最終的な受信側端末との間にメールサーバが介在して、送信側端末からメールサーバへの電子メールの送信と、電子メールを最終的に受信する受信側端末のメールサーバからの自装置宛電子メールの受信とが、同時には行われない、非リアルタイムの通信形態であるため、送信側端末と受信側端末との間の能力交換が不可能であり、また、受信側端末における電子メールのメールサーバからの受信中に受信エラーが生じても、送信側端末では、既に電子メールの送信は正常に終了しているため、送信側端末としては、メッセージを電子メールにより受信側端末に正しく送信できたか否かの判断ができないという欠点がある。
【０００６】
そのため、例えば、送信側端末から電子メールにより送信した文書データの形式（ファイル形式、符号化形式、解像度等）に、受信側端末が未対応であるために、送信側端末における文書データの電子メールによる送信は成功したのに、受信側端末において受信文書データを正しく処理できず、結果的に文書データの送信が失敗に終わってしまうという不具合が生じてしまうことがあった。
【０００７】
そこで、公衆電話網を介したファクシミリ通信の利点である端末間の能力交換及びリアルタイム性と、ネットワークを介した通信の、通信料金がかからないという利点とを両立した通信形態として、１９９９年４月に、パケット化したファクシミリ制御信号をパケット網上でやり取りするためのＩＴＵ−Ｔ勧告Ｔ．３８が制定された。
【０００８】
この勧告Ｔ．３８に基づいた通信を行うことにより、端末間のファクシミリ通信に関する能力交換および通信のリアルタイム性が保証された通信をネットワーク上で行うことができるようになった。
【０００９】
勧告Ｔ．３８に従うネットワーク端末（Ｔ．３８端末）には、ネットワーク直結型のＩＡＦ（Internet Aware Fax）タイプと、専用線や公衆回線等の電話網へリアルタイムに転送するＧＷ（Gateway）タイプとの２種類が存在する。
【００１０】
ＩＡＦタイプの端末は、いわば、相手端末装置（ＩＡＦまたはＧＷ）との間でパケット化されたファクシミリ制御信号としてのＴ．３０信号をリアルタイムでやりとりして、自装置が相手端末装置にとっての最終宛先として文書データを受信するネットワークファクシミリ装置である。
【００１１】
一方、ＧＷタイプの端末は、ネットワークを介して相手端末（ＩＡＦまたはＧＷ）から受信したパケットから抽出したＴ．３０信号をモデム信号に変換して電話網を介して最終宛先となるＧ３ファクシミリ装置へ転送し、また電話網を介して前記Ｇ３ファクシミリ装置からモデム信号として受信したＴ．３０信号をパケット化してネットワークを介して相手端末に転送することで、ネットワーク上のＴ．３８端末と電話網上の従来型のファクシミリ装置との間でのリアルタイム通信を可能とするものである。
【００１２】
Ｔ．３８準拠のＧＷタイプの端末は、受信したＩＰパケットを、情報内容はそのままにＴ．３０信号に変換して電話網へ転送し、また電話網から受けたＴ．３０信号を情報内容はそのままにＩＰパケットに変換してパケット網に転送することで、ＩＰネットワーク上のＴ．３８端末と電話網上の従来型のＧ３ファクシミリ装置との間でのリアルタイム通信を可能とするものに過ぎないため、ファクシミリメッセージ伝送時の高速モデムでの通信速度は、電話網を介して自装置と回線接続される、従来型のＧ３ファクシミリ装置と、パケット網を介して自装置とネットワーク接続されるＩＡＦタイプの端末、または、パケット網を介して自装置とネットワーク接続されるＧＷタイプの端末から更に電話網を介して接続される従来型のＧ３ファクシミリ装置との間のＴ．３０に基づいたプロトコル手順により設定される。
【００１３】
具体的には、着信側装置がディジタル識別信号ＤＩＳにより、対応している通信速度を含む自機能力を発信側装置に通知し、その発信側装置がその通知された着信側装置の能力と自機能力との範囲内で通信条件を設定すると同時にその設定した通信条件をディジタル送信命令信号ＤＣＳにより着信側装置にも通知して設定させる。
【００１４】
したがって、ＧＷタイプの端末が接続されるパケット網における当該ＧＷタイプの端末が使用を許されるネットワーク帯域は、終端の端末間でＴ．３０に基づいたプロトコル手順により設定された通信速度でのメッセージデータの伝送を実現できるだけの十分な広さが確保されることがＴ．３８準拠のリアルタイムネットワークファクシミリ通信の前提となっていた。
【００１５】
【発明が解決しようとする課題】
そのため、仮に、ＧＷタイプの端末がパケット網上で使用可能なネットワーク帯域が終端の端末間でＴ．３０に基づいたプロトコル手順により設定された通信速度でのメッセージデータの伝送に十分でない場合、設定された通信速度でのメッセージデータの送受信を行うことができず、通信エラーとなってしまうという問題がある。
【００１６】
一方、ファクシミリ通信が頻繁に行われていないオフィス等においては、ファクシミリ通信用の十分なネットワーク帯域（64Kbps程度）をＧＷタイプの端末に割り当てることは、他のアプリケーションの帯域を縮小することにつながるため効率的ではないという事情がある。特にＩＳＤＮルータなどを使用して構築しているパケット網などではベースとなる帯域が64K〜128Kbps程度と狭いため、その中からファクシミリ通信のための十分な帯域を確保すること自体が難しくなるという問題がある。
【００１７】
それらの問題は、ＩＴＵ−Ｔ勧告Ｔ．３８準拠のものに限らず、電話網上でやりとりされるＴ．３０信号とパケット網上でやりとりされるパケット化されたＴ．３０信号とをリアルタイムに相互変換して行われるリアルタイムネットワークファクシミリ通信においては、同様に生じ得る問題である。
【００１８】
本発明は係る事情に鑑みてなされたものであり、前記ファクシミリ装置と前記相手端末装置との間で設定される通信速度でのリアルタイムネットワークファクシミリ通信を実現するためにパケット網において必要とされる、前記必要ネットワーク帯域を、前記割当ネットワーク帯域以下となるようにすることができるゲートウェイ装置及びその制御方法並びに通信システムを提供することを目的とする。
【００１９】
【課題を解決するための手段】
請求項１に記載のゲートウェイ装置は、パケット網及び電話網に接続され、通信開始に先立って、前記パケット網上のゲートキーパ装置に対してネットワーク帯域割り当て要求を行い、その割り当て要求に応じて前記ゲートキーパ装置から割り当てられるネットワーク帯域である割当ネットワーク帯域の範囲内で前記パケット網を介した通信を行う一方、前記パケット網を介してゲートウェイ装置またはネットワークファクシミリ装置である相手端末装置から受信するパケット化されたファクシミリ制御信号をモデム信号にリアルタイム変換して前記電話網を介してファクシミリ装置に送信すると共に、前記電話網を介して前記ファクシミリ装置からモデム信号として受信したファクシミリ制御信号をリアルタイムでパケット化して前記パケット網を介して前記相手端末装置に送信することにより、前記パケット網上の相手端末装置と前記電話網上のファクシミリ装置との間のリアルタイムファクシミリ通信を可能とするゲートウェイ装置であって、
前記ファクシミリ装置と前記相手端末装置との間で設定される通信速度に相当する必要ネットワーク帯域が、前記割当ネットワーク帯域以下となるように調節する通信速度／ネットワーク帯域調節手段を備え、前記通信速度／ネットワーク帯域調節手段は、発信側の前記ファクシミリ装置から前記電話網を介して受信した所定のファクシミリ制御信号の情報内容として含まれる設定通信速度に相当する必要ネットワーク帯域が、前記割当ネットワーク帯域より広い場合には、発信側の前記ファクシミリ装置から前記電話網を介して受信した所定のモデムトレーニング信号に対して、前記発信側のファクシミリ装置から再送信されてくる前記所定のファクシミリ制御信号により通知される設定通信速度に相当する必要ネットワーク帯域が前記割当ネットワーク帯域以下になるまで、前記発信側のファクシミリ装置に対してダミーのトレーニング失敗信号を送信することを特徴とするゲートウェイ装置。
【００２０】
請求項２に記載のゲートウェイ装置は、パケット網及び電話網に接続され、通信開始に先立って、前記パケット網上のゲートキーパ装置に対してネットワーク帯域割り当て要求を行い、その割り当て要求に応じて前記ゲートキーパ装置から割り当てられるネットワーク帯域である割当ネットワーク帯域の範囲内で前記パケット網を介した通信を行う一方、前記パケット網を介してゲートウェイ装置またはネットワークファクシミリ装置である相手端末装置から受信するパケット化されたファクシミリ制御信号をモデム信号にリアルタイム変換して前記電話網を介してファクシミリ装置に送信すると共に、前記電話網を介して前記ファクシミリ装置からモデム信号として受信したファクシミリ制御信号をリアルタイムでパケット化して前記パケット網を介して前記相手端末装置に送信することにより、前記パケット網上の相手端末装置と前記電話網上のファクシミリ装置との間のリアルタイムファクシミリ通信を可能とするゲートウェイ装置であって、
前記ファクシミリ装置と前記相手端末装置との間で設定される通信速度に相当する必要ネットワーク帯域が、前記割当ネットワーク帯域以下となるように調節する通信速度／ネットワーク帯域調節手段を備え、前記通信速度／ネットワーク帯域調節手段は、発信側の前記相手端末装置から前記パケット網を介して受信した所定のファクシミリ制御信号の情報内容として含まれる設定通信速度に相当する必要ネットワーク帯域が、前記割当ネットワーク帯域より広い場合には、発信側の前記相手端末装置から前記パケット網を介して受信したモデムトレーニング信号に対して、前記発信側の相手端末装置から再送信されてくる所定のファクシミリ制御信号により通知される設定通信速度に相当する必要ネットワーク帯域が前記割当ネットワーク帯域以下になるまで、前記発信側の相手端末装置に対してダミーのトレーニング失敗信号を送信することを特徴とする。
【００２１】
請求項３に記載のゲートウェイ装置の制御方法は、パケット網及び電話網に接続され、通信開始に先立って、前記パケット網上のゲートキーパ装置に対してネットワーク帯域割り当て要求を行い、その割り当て要求に応じて前記ゲートキーパ装置から割り当てられるネットワーク帯域である割当ネットワーク帯域の範囲内で前記パケット網を介した通信を行う一方、前記パケット網を介してゲートウェイ装置またはネットワークファクシミリ装置である相手端末装置から受信するパケット化されたファクシミリ制御信号をモデム信号にリアルタイム変換して前記電話網を介してファクシミリ装置に送信すると共に、前記電話網を介して前記ファクシミリ装置からモデム信号として受信したファクシミリ制御信号をリアルタイムでパケット化して前記パケット網を介して前記相手端末装置に送信することにより、前記パケット網上の相手端末装置と前記電話網上のファクシミリ装置との間のリアルタイムファクシミリ通信を可能とするゲートウェイ装置の制御方法であって、発信側の前記ファクシミリ装置から前記電話網を介して受信した所定のファクシミリ制御信号の情報内容として含まれる設定通信速度に相当する必要ネットワーク帯域が、前記割当ネットワーク帯域より広い場合には、発信側の前記ファクシミリ装置から前記電話網を介して受信したモデムトレーニング信号に対して、前記発信側のファクシミリ装置から再送信されてくる所定のファクシミリ制御信号により通知される設定通信速度に相当する必要ネットワーク帯域が前記割当ネットワーク帯域以下になるまで、前記発信側のファクシミリ装置に対してダミーのトレーニング失敗信号を送信することにより、前記ファクシミリ装置と前記相手端末装置との間で設定される通信速度に相当する必要ネットワーク帯域が、前記割当ネットワーク帯域以下となるように調節することを特徴とする。
【００２２】
請求項４に記載のゲートウェイ装置の制御方法は、パケット網及び電話網に接続され、通信開始に先立って、前記パケット網上のゲートキーパ装置に対してネットワーク帯域割り当て要求を行い、その割り当て要求に応じて前記ゲートキーパ装置から割り当てられるネットワーク帯域である割当ネットワーク帯域の範囲内で前記パケット網を介した通信を行う一方、前記パケット網を介してゲートウェイ装置またはネットワークファクシミリ装置である相手端末装置から受信するパケット化されたファクシミリ制御信号をモデム信号にリアルタイム変換して前記電話網を介してファクシミリ装置に送信すると共に、前記電話網を介して前記ファクシミリ装置からモデム信号として受信したファクシミリ制御信号をリアルタイムでパケット化して前記パケット網を介して前記相手端末装置に送信することにより、前記パケット網上の相手端末装置と前記電話網上のファクシミリ装置との間のリアルタイムファクシミリ通信を可能とするゲートウェイ装置の制御方法であって、発信側の前記相手端末装置から前記パケット網を介して受信した所定のファクシミリ制御信号の情報内容として含まれる設定通信速度に相当する必要ネットワーク帯域が、前記割当ネットワーク帯域より広い場合には、発信側の前記相手端末装置から前記パケット網を介して受信したモデムトレーニング信号に対して、前記発信側の相手端末装置から再送信されてくる所定のファクシミリ制御信号により通知される設定通信速度に相当する必要ネットワーク帯域が前記割当ネットワーク帯域以下になるまで、前記発信側の相手端末装置に対してダミーのトレーニング失敗信号を送信することにより、前記ファクシミリ装置と前記相手端末装置との間で設定される通信速度に相当する必要ネットワーク帯域が、前記割当ネットワーク帯域以下となるように調節することを特徴とする。
【００２３】
請求項５に記載の通信システムは、パケット網及び電話網に接続されたゲートウェイ装置が、通信開始に先立って、前記パケット網上のゲートキーパ装置に対してネットワーク帯域割り当て要求を行い、その割り当て要求に応じて前記ゲートキーパ装置から割り当てられるネットワーク帯域である割当ネットワーク帯域の範囲内で前記パケット網を介した通信を行う一方、前記ゲートウェイ装置が前記パケット網を介して他のゲートウェイ装置またはネットワークファクシミリ装置である相手端末装置から受信するパケット化されたファクシミリ制御信号をモデム信号にリアルタイム変換して前記電話網を介してファクシミリ装置に送信すると共に、前記電話網を介して前記ファクシミリ装置からモデム信号として受信したファクシミリ制御信号をリアルタイムでパケット化して前記パケット網を介して前記相手端末装置に送信することにより、前記パケット網上の相手端末装置と前記電話網上のファクシミリ装置との間のリアルタイムファクシミリ通信を可能とする通信システムであって、前記ゲートウェイ装置は、前記ファクシミリ装置と前記相手端末装置との間で設定される通信速度に相当する必要ネットワーク帯域が、前記割当ネットワーク帯域以下となるように調節する通信速度／ネットワーク帯域調節手段を備え、前記通信速度／ネットワーク帯域調節手段は、発信側の前記ファクシミリ装置から前記電話網を介して受信した所定のファクシミリ制御信号の情報内容として含まれる設定通信速度に相当する必要ネットワーク帯域が、前記割当ネットワーク帯域より広い場合には、発信側の前記ファクシミリ装置から前記電話網を介して受信したモデムトレーニング信号に対して、前記発信側のファクシミリ装置から再送信されてくる前記所定のファクシミリ制御信号により通知される設定通信速度に相当する必要ネットワーク帯域が前記割当ネットワーク帯域以下になるまで、前記発信側のファクシミリ装置に対してダミーのトレーニング失敗信号を送信することを特徴とする。
【００２４】
請求項６に記載の通信システムは、パケット網及び電話網に接続されたゲートウェイ装置が、通信開始に先立って、前記パケット網上のゲートキーパ装置に対してネットワーク帯域割り当て要求を行い、その割り当て要求に応じて前記ゲートキーパ装置から割り当てられるネットワーク帯域である割当ネットワーク帯域の範囲内で前記パケット網を介した通信を行う一方、前記ゲートウェイ装置が前記パケット網を介して他のゲートウェイ装置またはネットワークファクシミリ装置である相手端末装置から受信するパケット化されたファクシミリ制御信号をモデム信号にリアルタイム変換して前記電話網を介してファクシミリ装置に送信すると共に、前記電話網を介して前記ファクシミリ装置からモデム信号として受信したファクシミリ制御信号をリアルタイムでパケット化して前記パケット網を介して前記相手端末装置に送信することにより、前記パケット網上の相手端末装置と前記電話網上のファクシミリ装置との間のリアルタイムファクシミリ通信を可能とする通信システムであって、前記ゲートウェイ装置は、前記ファクシミリ装置と前記相手端末装置との間で設定される通信速度に相当する必要ネットワーク帯域が、前記割当ネットワーク帯域以下となるように調節する通信速度／ネットワーク帯域調節手段を備え、前記通信速度／ネットワーク帯域調節手段は、発信側の前記相手端末装置から前記パケット網を介して受信した所定のファクシミリ制御信号の情報内容として含まれる設定通信速度に相当する必要ネットワーク帯域が、前記割当ネットワーク帯域より広い場合には、発信側の前記相手端末装置から前記パケット網を介して受信したモデムトレーニング信号に対して、前記発信側の相手端末装置から再送信されてくる前記所定のファクシミリ制御信号により通知される設定通信速度に相当する必要ネットワーク帯域が前記割当ネットワーク帯域以下になるまで、前記発信側の相手端末装置に対してダミーのトレーニング失敗信号を送信することを特徴とする。
【００２５】
請求項７に記載のゲートウェイ装置は、送信側通信端末から受信した画情報を着信側通信端末へ送信するゲートウェイ装置であって、前記着信側通信端末との通信で利用可能な帯域を表す割当ネットワーク帯域値を保持する保持手段と、前記着信側通信端末から通知された通信速度に基づく通信をするために必要な必要ネットワーク帯域値を取得する取得手段と、前記保持手段が保持する割当ネットワーク帯域値と前記取得手段が取得した必要ネットワーク帯域値とを比較する比較手段と、前記割当ネットワーク帯域値が前記必要ネットワーク帯域値よりも小さいと前記比較手段が判断した場合には、該割当ネットワーク帯域値以下のネットワーク帯域値に基づいて、送信側通信端末から受信した画情報を着信側通信端末へ送信する送信手段とを備え、前記着信側通信端末から通知された通信速度を、前記保持手段が保持する割当ネットワーク帯域値以下のネットワーク帯域値に対応する通信速度へ変換する変換手段と、前記変換手段が変換した通信速度を前記送信側通信端末へ通知する通知手段とをさらに備えたことを特徴とする。
【００２６】
請求項８に記載のゲートウェイ装置は、送信側通信端末から受信した画情報を着信側通信端末へ送信するゲートウェイ装置であって、前記着信側通信端末との通信で利用可能な帯域を表す割当ネットワーク帯域値を保持する保持手段と、前記着信側通信端末から通知された通信速度に基づく通信をするために必要な必要ネットワーク帯域値を取得する取得手段と、前記保持手段が保持する割当ネットワーク帯域値と前記取得手段が取得した必要ネットワーク帯域値とを比較する比較手段と、前記割当ネットワーク帯域値が前記必要ネットワーク帯域値よりも小さいと前記比較手段が判断した場合には、該割当ネットワーク帯域値以下のネットワーク帯域値に基づいて、送信側通信端末から受信した画情報を着信側通信端末へ送信する第一の送信制御を行い、前記割当ネットワーク帯域値が前記必要ネットワーク帯域値よりも大きいと前記比較手段が判断した場合には、該必要ネットワーク帯域値に基づいて、送信側通信端末から受信した画情報を着信側通信端末へ送信する第二の送信制御を行う送信手段とを備え、前記着信側通信端末から通知された通信速度を、前記保持手段が保持する割当ネットワーク帯域値以下のネットワーク帯域値に対応する通信速度へ変換する変換手段と、前記変換手段が変換した通信速度を前記送信側通信端末へ通知する通知手段とをさらに備えたことを特徴とする。
【００２７】
請求項９に記載のゲートウェイ装置は、請求項７または８のいずれかに記載されたゲートウェイ装置であって、前記着信側通信端末から通知された通信速度はファクシミリ通信のディジタル識別信号ＤＩＳにより通知されたことを特徴とする。
【００２８】
請求項１０に記載のゲートウェイ装置は、送信側通信端末から受信した画情報を着信側通信端末へ送信するゲートウェイ装置であって、前記着信側通信端末との通信で利用可能な帯域を表す割当ネットワーク帯域値を保持する保持手段と、前記着信側通信端末から通知された通信速度に応じて前記送信側通信端末から通知された通信速度に基づく通信をするために必要な必要ネットワーク帯域値を取得する取得手段と、前記保持手段が保持する割当ネットワーク帯域値と前記取得手段が取得した必要ネットワーク帯域値とを比較する比較手段と、前記割当ネットワーク帯域値が前記必要ネットワーク帯域値よりも小さいと前記比較手段が判断した場合には、該割当ネットワーク帯域値以下のネットワーク帯域値に基づいて、送信側通信端末から受信した画情報を着信側通信端末へ送信する送信手段とを備え、ダミーのトレーニング失敗信号を前記送信側端末装置へ送信することにより、前記送信側通信端末から通知される通信速度に対応する必要ネットワーク帯域値を、前記保持手段が保持する割当ネットワーク帯域値以下のネットワーク帯域値にさせるトレーニング失敗信号送信手段をさらに備えたことを特徴とする。
【００２９】
請求項１１に記載のゲートウェイ装置は、送信側通信端末から受信した画情報を着信側通信端末へ送信するゲートウェイ装置であって、前記着信側通信端末との通信で利用可能な帯域を表す割当ネットワーク帯域値を保持する保持手段と、前記着信側通信端末から通知された通信速度に応じて前記送信側通信端末から通知された通信速度に基づく通信をするために必要な必要ネットワーク帯域値を取得する取得手段と、前記保持手段が保持する割当ネットワーク帯域値と前記取得手段が取得した必要ネットワーク帯域値とを比較する比較手段と、前記割当ネットワーク帯域値が前記必要ネットワーク帯域値よりも小さいと前記比較手段が判断した場合には、該割当ネットワーク帯域値以下のネットワーク帯域値に基づいて、送信側通信端末から受信した画情報を着信側通信端末へ送信する第一の送信制御を行い、前記割当ネットワーク帯域値が前記必要ネットワーク帯域値よりも大きいと前記比較手段が判断した場合には、該必要ネットワーク帯域値に基づいて、送信側通信端末から受信した画情報を着信側通信端末へ送信する第二の送信制御を行う送信手段とを備え、ダミーのトレーニング失敗信号を前記送信側端末装置へ送信することにより、前記送信側通信端末から通知される通信速度に対応する必要ネットワーク帯域値を、前記保持手段が保持する割当ネットワーク帯域値以下のネットワーク帯域値にさせるトレーニング失敗信号送信手段をさらに備えたことを特徴とする。
【００３０】
請求項１２に記載のゲートウェイ装置は、請求項１０または１１のいずれかに記載されたゲートウェイ装置であって、前記送信側通信端末から通知された通信速度はファクシミリ通信のディジタル送信命令信号ＤＣＳにより通知されたことを特徴とする。
【００４３】
【発明の実施の形態】
以下、添付図面を参照しながら、本発明の実施の形態を詳細に説明する。
【００４４】
なお、以下説明する実施の形態においては、電話網上の、ＩＴＵ−Ｔ勧告Ｔ．３０準拠のＧ３ファクシミリ装置と、パケット網上のＩＴＵ−Ｔ勧告Ｔ．３８準拠の相手端末装置（ゲートウェイ装置またはネットワークファクシミリ装置）との間にＩＴＵ−Ｔ勧告Ｔ．３８準拠のゲートウェイ装置が介在して行われるリアルタイムネットワークファクシミリ通信に本発明を適用している。しかし、今後勧告の進展により、Ｇ３ファクシミリ装置以外のファクシミリ装置（例えばＧ４ファクシミリ装置）と、パケット網上の相手端末装置との間のゲートウェイ装置を介したリアルタイムネットワークファクシミリ通信が、Ｔ．３８に代わる新たな勧告が規定される等して実現されたような場合には、本発明を、本発明の趣旨を逸脱せず本質的に同じ構成で適用することができるのはいうまでもない。
【００４５】
先ず、図１に、本発明の実施の形態に係るゲートウェイ装置１を含むリアルタイムネットワークファクシミリ通信システムの構成例について示す図である。
【００４６】
同図に示すシステムは、説明の便宜上、左側の着信側システムと、右側の発信側システムとが、一定のネットワーク帯域（例えば64kbbs）の通信ライン７０により接続されたシステムとなっている。
【００４７】
発信側のＧ３ファクシミリ装置であるＧ３ファクス４０ａは、電話網５０ａを介して、発信側Ｔ．３８端末装置としてのゲートウェイ装置（ＧＷ）１ａに発呼して宛先指定を行う。
【００４８】
発信側Ｔ．３８端末装置としてのネットワークファクシミリ装置（ＩＡＦ）２０ａは、自装置の操作部等から宛先指定を直接受ける。
【００４９】
発信側Ｔ．３８端末装置としてのＧＷ１ａやＩＡＦ２０ａは、パケット網６０ａを介した通信開始に先立って、ゲートキーパ装置３０ａに対してネットワーク帯域の割当要求を行って、ゲートキーパ装置３０ａからのネットワーク帯域の割当を受ける。なお、本実施の形態では、ゲートキーパ装置３０ａや後述するゲートキーパ装置３０ｂから割り当てられたネットワーク帯域を割当ネットワーク帯域と称する。なお、ゲートキーパ装置３０ａ、３０ｂは、Ｔ．３８端末間でのアドレス解決や帯域制御を行うサーバ装置である。
【００５０】
発信側Ｔ．３８端末装置としてのＧＷ１ａやＩＡＦ２０ａは、パケット網６０ａにおいて、割当ネットワーク帯域の範囲内の通信速度での通信を行い、宛先の着信側Ｔ．３８端末装置としてのＧＷ１ｂやＩＡＦ２０ｂに通信ライン７０及びパケット網６０ｂを介してＳＥＴＵＰパケットを送信する。
【００５１】
一方、着信側Ｔ．３８端末装置としてのＧＷ１ｂやＩＡＦ２０ｂは、ＳＥＴＵＰパケットを受信するとパケット網６０ｂを介した通信開始に先立って、ゲートキーパ装置３０ｂに対してネットワーク帯域の割当要求を行って、ゲートキーパ装置３０ｂからのネットワーク帯域の割当を受ける。
【００５２】
着信側Ｔ．３８端末装置としてのＧＷ１ｂやＩＡＦ２０ｂは、パケット網６０ｂにおいて、割当ネットワーク帯域の範囲内の通信速度での通信を行い、発信側Ｔ．３８端末装置としてのＧＷ１ａやＩＡＦ２０ａ（を介したＧ３ファクス４０ａ）との間でパケット網６０ｂ及び通信ライン７０を介してリアルタイムネットワークファクシミリ通信を行う。
【００５３】
なお、ＧＷ１ｂは、更に、発信側からＳＥＴＵＰパケットにより通知される電話網５０ｂ上の着信側のＧ３ファクス４０ｂに発呼して、Ｇ３ファクス４０ｂと、発信側Ｔ．３８端末装置との間のリアルタイムネットワークファクシミリ通信を中継する。
【００５４】
本発明は、ＧＷ１ｂまたはＩＡＦ２０ｂの着信側Ｔ．３８端末装置にとっての発信側ＧＷ１ａとなって、発信側Ｇ３ファクス４０ａと着信側Ｔ．３８端末装置との間のリアルタイムネットワークファクシミリ通信を中継する場合、または、ＧＷ１ａまたはＩＡＦ２０ａの発信側Ｔ．３８端末装置にとっての着信側ＧＷ１ｂとなって、着信側Ｇ３ファクス４０ｂと発信側Ｔ．３８端末装置との間のリアルタイムネットワークファクシミリ通信を中継する場合についてのものである。
【００５５】
図２に発信側ゲートウェイ装置１ａまたは着信側ゲートウェイ装置１ｂとなるゲートウェイ装置１のブロック構成について示す。
【００５６】
同図において、ゲートウェイ装置１は、システム制御部２、ＲＯＭ３、ＲＡＭ４、記憶装置５、オペポート６、ＬＡＮコントローラ７、トランス８、モデム９、網制御部１０、及び、システムバス１１により構成されている。
【００５７】
システム制御部２は、ＲＯＭ３に書き込まれた制御プログラムに従って、ＲＡＭ４を作業領域として使用しながら、装置各部を制御するマイクロコンピュータである。
【００５８】
ＲＯＭ３は、前述したように、システム制御部２が上記装置各部を制御するための制御プログラムが記憶されているリードオンリメモリである。ＲＡＭ４は、前述したようにシステム制御部２の作業領域として使用されるランダムアクセスメモリである。
【００５９】
記憶装置５は、ハードディスク装置等により構成され、データを蓄積するためのものである。操作表示部６は、装置の動作状態の表示や各種操作入力を受け付けるためのものである。
【００６０】
ＬＡＮコントローラ１０は、トランス８を介してパケット網６０から受信したデータのデコード、またパケット網６０へ送信するデータのエンコードを行ったり、送信フレームや受信フレームのバッファリングを行うことで、パケット網６０からのデータを送受信するためのトランスフォーマーであるトランス８を介したＬＡＮプロトコルを制御して、そのＬＡＮプロトコル上でシステム制御部２がＴＣＰ／ＩＰプロトコルを制御して、ＩＴＵ−Ｔ勧告Ｔ．３８に基づいたリアルタイムネットワークファクシミリ通信を行えるようにするためのものである。
【００６１】
モデム９は、Ｇ３ファクシミリモデムで、網制御部１０を介して電話網５０に送信するデータを変調する一方、網制御部１０を介して電話網５０から受信した信号を復調するものである。また、モデム９は、相手先番号に対応するＤＴＭＦ信号の送出も行う。
【００６２】
網制御部１０は、電話網５０に接続されて、電話網５０の回線の極性反転の検出、回線の直流ループの閉結・解放や、回線解放の検出、発信音の検出、ビジートーン等のトーン信号の検出、呼出信号の検出等の回線との接続制御や、相手先番号に対応する選択信号の、２０ＰＰＳまたは１０ＰＰＳのダイヤル回線に対応したダイヤルパルス信号による送出を行うものである。システムバス１１は、上記各部がデータをやり取りするための信号ラインである。
【００６３】
図３に、ゲートウェイ装置１におけるソフトウェア構成を示す。
【００６４】
ゲートウェイ装置１は、ＩＴＵ−Ｔ勧告Ｔ．３８に従うＧＷタイプのネットワーク端末であり、電話網５０を介したＩＴＵ−Ｔ勧告Ｔ．３０に基づいたＧ３ファクシミリ通信機能と、そのＧ３ファクシミリ通信機能と並行して実行される、パケット網６０を介したＩＴＵ−Ｔ勧告Ｔ．３８にもとづいたパケット通信機能とを備えたものとして構成されている。
【００６５】
そのため、図３に示すソフトウェア構成においては、「ファクスプロトコル（Ｔ．３０）制御」は、電話網でのファクスデータ通信を行う「ＭＯＤＥＭ制御」と、「ＬＡＮコントローラ制御」、ネットワークを制御するための「ＴＣＰ／ＩＰ」プロトコル、及びリアルタイムネットワークファクシミリ通信を制御するための「Ｔ．３８パケット制御」より構成されるプロトコルスタックとの双方の上に位置する。更に、「ファクスプロトコル（Ｔ．３０）制御」の上には、「オペポート制御」、及び、装置動作全体の統括的制御を行う「全体制御」が位置する。
【００６６】
次に、ゲートウェイ装置１における本発明に係る処理手順の第１ないし第４実施形態について順に説明するが、その前に、それら各処理手順で参照される必要ネットワーク帯域Ｂｈ（対応する通信速度でのＧ３ファクシミリ通信をパケット網６０を介して行うのに最低限必要なネットワーク帯域）と、ゲートウェイ装置１を介するリアルタイムネットワークファクシミリ通信において末端の端末間（ＩＡＦ２０ａ／Ｇ３ファクス４０ａとＧ３ファクス４０ｂ間、または、ＩＡＦ２０ｂ／Ｇ３ファクス４０ｂとＧ３ファクス４０ａ間）で設定され得る通信速度との関係について図４に示す。
【００６７】
同図において、各通信速度に対応する必要ネットワーク帯域Ｂｈは、対応する通信速度に、ネットワーク遅延係数（この場合値1.2）を乗じた値となっている。その場合のネットワーク遅延係数は、ＴＣＰプロトコル等によるオーバーヘッドやパケットロスによるパケット再送などを考慮して設定されるべきもので、その設定値は適用されるパケット網によって異なるもので、適切に設定されるべきものである。なお、各通信速度に対応する必要ネットワーク帯域Ｂｈの取得形態は、図４に示すテーブルを記憶装置５に予め記憶しておいて所望の通信速度に対応する必要ネットワーク帯域Ｂｈを参照する形態であっても良いし、所望の通信速度に予め記憶装置５に設定・記憶されたネットワーク遅延係数を乗じてその都度算出する取得形態であってもよく、所望の通信速度に対応する必要ネットワーク帯域Ｂｈの取得形態により本発明は限定されるものではない。
【００６８】
次に、ゲートウェイ装置１における第１実施形態に係る処理手順について説明する。
【００６９】
第１実施形態に係る処理手順は、ゲートウェイ装置１が、発信側ＧＷ１ａとなって行う発信側処理と、着信側ＧＷ１ｂとなって行う着信側処理との２通りがある。
【００７０】
先ず発信側処理について、図５を参照して説明する。また、図５に示す処理手順に対応するリアルタイムネットワークファクシミリ通信の通信シーケンスについて図６に示す。
【００７１】
図５において、発信側ＧＷ１ａは、図６のフェーズＦ１に示す発信側Ｇ３ファクス４０ａからの電話網５０ａを介した着呼を受け（処理１０１）、その着呼に対して図６のフェーズＦ２に示す応答を行う（処理１０２）。
【００７２】
そして、図６のフェーズＦ３により着信側の宛先（ＩＰアドレス（及びファクス番号））を取得する（処理１０３）。
【００７３】
以後は、パケット網６０ａを介した通信が開始されることになるが、その通信開始に先立って、ゲートキーパ装置３０ａに対して、通信開始要求（ARQ）のパケットを送信し（処理１０４：図６のフェーズＦ４）、そのＡＲＱパケットに呼応してゲートキーパ装置３０ａから送信されてくる通信開始確認(ACF)のパケットを受信し（処理１０５：図６のフェーズＦ５）、そのＡＣＦパケットに含まれているネットワーク帯域(BandWidth)を、割当ネットワーク帯域Ｂｗとして記憶装置５に保持する（処理１０６：図６のフェーズＦ６）。
【００７４】
これにより、以後の発信側ＧＷ１ａにおけるパケット網６０ａを介した通信は、割当ネットワーク帯域Ｂｗの範囲内で行われ、また、行う必要がある。
【００７５】
発信側ＧＷ１ａは、呼制御用ＴＣＰチャンネルの確立後（図６のフェーズＦ７）、着信側Ｔ．３８端末装置（ＩＡＦ２０ｂまたはＧＷ１ｂ）にＳＥＴＵＰパケットを送信し（処理１０７：図６のフェーズＦ８）、着信側Ｔ．３８端末装置からＣＯＮＮＥＣＴパケットを受信すると（処理１０８：図６のフェーズＦ９）、データチャンネルが確立され（図６のフェーズＦ１０）、以後図６のフェーズＦ１１のファクスプロトコル処理を開始する（処理１０９）。
【００７６】
そして、処理１０９で開始されたフェーズＦ１１のファクスプロトコル処理、すなわち、パケット網６０ａを介して受信した被呼局識別信号ＣＥＤ、被呼端末識別信号ＣＳＩ、ディジタル識別信号ＤＩＳ等の、ファクシミリ制御信号としてのＴ．３０信号のパケットを受信し、モデム信号へ変換し、電話網５０ａを介して送信する処理や逆の処理を行っている間に、ディジタル識別信号ＤＩＳのパケットを受信する（処理１１０：図６のフェーズＦ１１ｃ）。
【００７７】
そして、その受信したディジタル識別信号ＤＩＳのＦＩＦ（ファクシミリ情報フィールド）の内容のうちのビット１１、１２、１３及び１４の組合せにより通知される着信側、すなわち、ＩＡＦ２０ｂまたはＧＷ１ｂを介したＧ３ファクス４０ｂの通信速度能力に対応する必要ネットワーク帯域Ｂｈを図４に示したようなテーブルを参照することにより、または、ネットワーク遅延係数を乗じることにより取得する（処理１１１）。
【００７８】
なお、この図５に示す発信側ＧＷ１ａにおける処理手順は、着信側ＧＷ１ｂが通常のＴ．３８準拠のゲートウェイ装置で、着信側Ｇ３ファクス４０ｂから受信したモデム信号のディジタル識別信号ＤＩＳを内容に関知することなく単純にパケットに変換して送信してくる場合にも適用できるのはいうまでもないが、着信側ＧＷ１ｂが第１実施形態に係るものである場合には、処理１１０で受信するディジタル識別信号ＤＩＳが、後述する着信側における図７に示す処理手順により書き換えられている場合もある。
【００７９】
次に、処理１１１で取得した必要ネットワーク帯域Ｂｈが、処理１０６で保持していた割当ネットワーク帯域Ｂｗより広いか否かを判断する（判断１１２）。
【００８０】
そして、必要ネットワーク帯域Ｂｈが割当ネットワーク帯域Ｂｗ以下の場合には（判断１１２のＮｏ）、ディジタル識別信号ＤＩＳで通知される通信速度能力の最高速度が、発信側Ｇ３ファクス４０ａにより図６のフェーズＦ１１ｆのディジタル送信命令信号ＤＣＳにより設定されたとしても、以後のファクシミリメッセージデータの伝送時にパケット網６０ａにおいて帯域オーバーが生じることがないため、処理１１０でパケットとして受信したディジタル識別信号ＤＩＳを内容を書き換えることなくそのまま発信側Ｇ３ファクス４０ａに送信し（処理１１４：図６のフェーズＦ１１ｅ）、以後フェーズＦ１１のファクスプロトコル処理を継続する。
【００８１】
必要ネットワーク帯域Ｂｈが割当ネットワーク帯域Ｂｗよりも広い場合には（判断１１２のＹｅｓ）、そのままでは、着信側Ｔ．３８端末の通信速度能力以上の通信速度能力を、発信側Ｇ３ファクス４０ａが備えている場合には、必要ネットワーク帯域Ｂｈが割当ネットワーク帯域Ｂｗよりも広い状態のまま、以後のファクシミリメッセージデータの伝送が行われてしまい、パケット網６０ａにおいて帯域オーバーが生じて通信エラーとなるおそれがあるため、処理１１０でパケットとして受信したディジタル識別信号ＤＩＳのファクシミリ情報フィールドの情報内容のうちの、通信速度能力についての内容（ビット番号１１ないし１４のビット列により定義されている）を割当ネットワーク帯域Ｂｗ（例えば9,000bps）以下の必要ネットワーク帯域（8,640bps）に相当する通信速度能力（7,200bps：ビット列では例えば「1,1,0,1」）に書換え変換し（処理１１３：図６のフェーズＦ１１ｄ）、その書換え変換後のディジタル識別信号ＤＩＳを、モデム信号に変換して発信側Ｇ３ファクス４０ａに送信し（処理１１４：図６のフェーズＦ１１ｅ）、以後フェーズＦ１１のファクスプロトコル処理を継続する。
【００８２】
このように、着信側Ｔ．３８端末から受信したディジタル識別信号ＤＩＳの内容を発信側ＧＷ１ａが変換することにより、発信側Ｇ３ファクス４０ａに対して、着信側Ｔ．３８端末の通信速度能力が低いとみせかけて、帯域オーバーとなるような通信速度が発信側Ｇ３ファクス４０ａにおいて設定されてしまうことを防止することで、ゲートキーパ装置３０ａから割り当てられるネットワーク帯域の広さによらず、常に正常なリアルタイムネットワーク通信の中継が可能となる。
【００８３】
次に、第１実施形態に係る着信側処理について図７を参照して説明する。また、図７に示す処理手順に対応するリアルタイムネットワークファクシミリ通信の通信シーケンスについて図８に示す。
【００８４】
図７において、着信側ＧＷ１ｂは、呼制御用ＴＣＰチャンネルの確立後（図８のフェーズＦ２０）＜発信側Ｔ．３８端末（ＩＡＦ２０ａまたはＧＷ１ａ）からＳＥＴＵＰパケットを受信する（処理２０１：図８のフェーズＦ２１）。なお、ＳＥＴＵＰパケットにより、着信側の宛先（ファクス番号）を取得する。
【００８５】
以後は、パケット網６０ａを介した通信が開始されることになるが、その通信開始に先立って、ゲートキーパ装置３０ｂに対して、通信開始要求（ARQ）のパケットを送信し（処理２０２：図８のフェーズＦ２２）、そのＡＲＱパケットに呼応してゲートキーパ装置３０ｂから送信されてくる通信開始確認(ACF)のパケットを受信し（処理２０３：図８のフェーズＦ２３）、そのＡＣＦパケットに含まれているネットワーク帯域(BandWidth)を、割当ネットワーク帯域Ｂｗとして記憶装置５に保持する（処理２０４：図８のフェーズＦ２４）。
【００８６】
これにより、以後の着信側ＧＷ１ｂにおけるパケット網６０ｂを介した通信は、割当ネットワーク帯域Ｂｗの範囲内で行われ、また、行う必要がある。
【００８７】
続いて、着信側Ｇ３ファクス４０ｂに対して電話網５０ｂを介して発呼し（処理２０５：図８のフェーズＦ２５）、その発呼に対する応答を受ける（処理２０６：図８のフェーズＦ２６）。
【００８８】
そして、発信側Ｔ．３８端末装置に対してＣＯＮＮＥＣＴパケットを送信すると（処理２０７：図８のフェーズＦ２７）、データチャンネルが確立され（図８のフェーズＦ２８）、以後図８のフェーズＦ２９のファクスプロトコル処理を開始する（処理２０８）。
【００８９】
そして、処理２０８で開始されたフェーズＦ２９のファクスプロトコル処理、すなわち、電話網５０ｂを介して受信した被呼局識別信号ＣＥＤ、被呼端末識別信号ＣＳＩ、ディジタル識別信号ＤＩＳ等のＴ．３０信号のモデム信号を受信し、パケットに変換し、パケット網６０ｂを介して送信する処理や逆の処理を行っている間に、ディジタル識別信号ＤＩＳのモデム信号を受信する（処理２０９：図８のフェーズＦ２９ｃ）。
【００９０】
そして、その受信したディジタル識別信号ＤＩＳのＦＩＦ（ファクシミリ情報フィールド）の内容のうちのビット１１、１２、１３及び１４の組合せにより通知される着信側、すなわち、Ｇ３ファクス４０ｂの通信速度能力に対応する必要ネットワーク帯域Ｂｈを図４に示したようなテーブルを参照することにより、または、ネットワーク遅延係数を乗じることにより取得する（処理２１０）。
【００９１】
なお、この図７に示す着信側ＧＷ１ｂにおける処理手順は、発信側ＧＷ１ａが通常のＴ．３８準拠のゲートウェイ装置で、発信側Ｇ３ファクス４０ａから受信したモデム信号のディジタル識別信号ＤＩＳを内容に関知することなく単純にパケットに変換して送信してくる場合にも適用できるのはいうまでもないが、発信側ＧＷ１ａが第１実施形態に係るものである場合には、処理２０９で受信するディジタル識別信号ＤＩＳが、前述した発信側における図５に示した処理手順により書き換えられている場合もある。
【００９２】
次に、処理２１０で取得した必要ネットワーク帯域Ｂｈが、処理２０４で保持していた割当ネットワーク帯域Ｂｗより広いか否かを判断する（判断２１１）。
【００９３】
そして、必要ネットワーク帯域Ｂｈが割当ネットワーク帯域Ｂｗ以下の場合には（判断２１１のＮｏ）、ディジタル識別信号ＤＩＳで通知される通信速度能力の最高速度が、発信側Ｔ．３８端末、つまり、ＩＡＦ２０ａまたはＧＷ１ａ（を介したＧ３ファクス４０ａ）により図８のフェーズＦ２９ｆのディジタル送信命令信号ＤＣＳにより設定されたとしても、以後のファクシミリメッセージデータの伝送時にパケット網６０ｂにおいて帯域オーバーが生じることがないため、処理２０９でモデム信号として受信したディジタル識別信号ＤＩＳを内容を書き換えることなくそのまま発信側Ｔ．３８端末にパケット送信し（処理２１３：図８のフェーズＦ２９ｅ）、以後フェーズＦ２９のファクスプロトコル処理を継続する。
【００９４】
必要ネットワーク帯域Ｂｈが割当ネットワーク帯域Ｂｗよりも広い場合には（判断２１１のＹｅｓ）、そのままでは、着信側Ｇ３ファクス４０ｂの通信速度能力以上の通信速度能力を、発信側Ｔ．３８端末（を介した発信側Ｇ３ファクス４０ａ）が備えている場合には、必要ネットワーク帯域Ｂｈが割当ネットワーク帯域Ｂｗよりも広い状態のまま、以後のファクシミリメッセージデータの伝送が行われてしまい、パケット網６０ｂにおいて帯域オーバーが生じて通信エラーとなるおそれがあるため、処理２０９でモデム信号として受信したディジタル識別信号ＤＩＳの通信速度能力についての内容（ビット番号１１ないし１４のビット列により定義されている）を割当ネットワーク帯域Ｂｗ（例えば9,000bps）以下の必要ネットワーク帯域（8,640bps）に相当する通信速度能力（7,200bps：ビット列では例えば「1,1,0,1」）に書換え変換し（処理２１２：図８のフェーズＦ２９ｄ）、その書換え変換後のディジタル識別信号ＤＩＳをパケットに変換して発信側Ｔ．３８端末に送信し（処理２１３：図８のフェーズＦ２９ｅ）、以後フェーズＦ２９のファクスプロトコル処理を継続する。
【００９５】
このように、着信側Ｇ３ファクス４０ｂから受信したディジタル識別信号ＤＩＳの内容を着信側ＧＷ１ｂが変換することにより、発信側Ｔ．３８端末（を介した発信側Ｇ３ファクス４０ａ）に対して、着信側Ｇ３ファクス４０ｂの通信速度能力が低いとみせかけて、帯域オーバーとなるような通信速度が発信側Ｔ．３８端末（を介した発信側Ｇ３ファクス４０ａ）において設定されてしまうことを防止することで、ゲートキーパ装置３０ｂから割り当てられるネットワーク帯域の広さによらず、常に正常なリアルタイムネットワーク通信の中継が可能となる。
【００９６】
次に、ゲートウェイ装置１における第２実施形態に係る処理手順について説明する。
【００９７】
第２実施形態に係る処理手順は、ゲートウェイ装置１が、発信側ＧＷ１ａとなって行う発信側処理と、着信側ＧＷ１ｂとなって行う着信側処理との２通りがある。
【００９８】
先ず発信側処理について、図９を参照して説明する。また、図９に示す処理手順に対応するリアルタイムネットワークファクシミリ通信の通信シーケンスについて図１０に示す。なお、図９の処理手順のうちの処理３０１ないし処理３１０は、図５に示した第１実施形態に係る発信側処理における処理１０１ないし処理１１０とそれぞれ同一であり、それに伴い、図１０の通信シーケンスのフェーズＦ１ないしフェーズＦ１０は、図６のフェーズＦ１ないしフェーズＦ１０と同一であり、また、図１０のフェーズＦ１１は、図６のフェーズＦ１１とほぼ同様である。
【００９９】
図９において、処理３０１ないし処理３１０を行うことで、図５の処理１０１ないし処理１１０を行ったのと同様に、ゲートキーパ装置３０ａから割当ネットワーク帯域Ｂｗの割り当てを受けた上で（処理３０６）、着信側Ｔ．３８端末からディジタル識別信号ＤＩＳのパケットを受信すると（処理３１０：図１０のフェーズＦ１１ｃ）、その受信したディジタル識別信号ＤＩＳのパケットを内容の変更なしにそのままモデム信号に変換して発信側Ｇ３ファクス４０ａに送信してしまう（処理３１１：図１０のフェーズＦ１１ｅ）。
【０１００】
すると、発信側Ｇ３ファクス４０ａは、フェーズＦ１１ｅで通知された着信側の通信速度能力と自装置の通信速度能力の範囲内の通信速度（通常は最大の通信速度）を設定して、その他の通信パラメータの設定と共にディジタル送信命令信号ＤＣＳにより送信してくるため、そのディジタル送信命令信号ＤＣＳを受信する（処理３１２：フェーズＦ１１ｆ）。
【０１０１】
そして、その受信したディジタル送信命令信号ＤＣＳのＦＩＦ（ファクシミリ情報フィールド）の内容のうちのビット１１、１２、１３及び１４の組合せにより通知される発信側において設定された通信速度に対応する必要ネットワーク帯域Ｂｈを図４に示したようなテーブルを参照することにより、または、ネットワーク遅延係数を乗じることにより取得する（処理３１３）。
【０１０２】
次に、処理３１３で取得した必要ネットワーク帯域Ｂｈが、処理３０６で取得・保持していた割当ネットワーク帯域Ｂｗより広いか否かを判断する（判断１１２）。
【０１０３】
そして、必要ネットワーク帯域Ｂｈが割当ネットワーク帯域Ｂｗ以下の場合には（判断３１４のＮｏ）、発信側Ｇ３ファクスからトレーニングチェック信号ＴＣＦを受信する（処理３１６：図１０のフェーズＦ１１ｈ）。ただし、その場合受信したＴＣＦ信号については、パケットに変換して着信側に送信する処理は行わない。
【０１０４】
そして、その受信したＴＣＦ信号に対して、トレーニングエラー信号ＦＴＴを発信側Ｇ３ファクスに送信して（処理３１７：図１０のフェーズＦ１１ｉ）、処理３１２に戻る。その場合処理３１２で受信するディジタル送信命令信号ＤＣＳの通信速度の設定は、発信側Ｇ３ファクス４０ａにおいて前に設定した速度よりも遅く設定されていることになる。
【０１０５】
そのため、判断３１４がＮｏとなった場合でも、判断３１４のＮｏのループが１回または複数回繰り返されることで、必要ネットワーク帯域Ｂｈが割当ネットワーク帯域Ｂｗよりも狭くなり、判断３１４がＹｅｓとなる。
【０１０６】
判断３１４がＹｅｓとなって初めて、処理３１２でモデム信号として受信したディジタル識別信号ＤＩＳをパケットに変換して、着信側Ｔ．３８端末に送信し（処理３１４：図１０のフェーズＦ１１ｇ）、以後フェーズＦ１１のファクスプロトコル処理を継続する。
【０１０７】
このように、発信側Ｇ３ファクス４０ａから受信したディジタル送信命令信号ＤＣＳにより設定された通信速度ではモデムトレーニングが失敗してしまうと
みせかけて、帯域オーバーとなるような通信速度が発信側Ｇ３ファクス４０ａにおいて設定されてしまうことを防止することで、ゲートキーパ装置３０ａから割り当てられるネットワーク帯域の広さによらず、常に正常なリアルタイムネットワーク通信の中継が可能となり、また、発信側のＧ３ファクス４０ａにおいて最終的に設定される通信速度に合わせて必要ネットワーク帯域Ｂｈが割当ネットワーク帯域Ｂｗ以下になるように調節されるため、割当ネットワーク帯域Ｂｗを無駄なく使用して効率的なファクシミリ通信が可能となる。
【０１０８】
次に、第２実施形態に係る着信側処理について図１１を参照して説明する。また、図１１に示す処理手順に対応するリアルタイムネットワークファクシミリ通信の通信シーケンスについて図１２に示す。なお、図１１の処理手順のうちの処理４０１ないし処理４０９は、図７に示した第１実施形態に係る着信側処理における処理２０１ないし処理２０９とそれぞれ同一であり、それに伴い、図１２の通信シーケンスのフェーズＦ２０ないしフェーズＦ２８は、図８のフェーズＦ２０ないしフェーズＦ２８と同一であり、また、図１２のフェーズＦ２９は、図８のフェーズＦ２９とほぼ同様である。
【０１０９】
図１１において、処理４０１ないし処理４０９を行うことで、図７の処理２０１ないし処理２０９を行ったのと同様に、ゲートキーパ装置３０ｂから割当ネットワーク帯域Ｂｗの割り当てを受けた上で（処理４０４）、着信側Ｇ３ファクス４０ｂからディジタル識別信号ＤＩＳのモデム信号を受信すると（処理４０９：図１２のフェーズＦ２９ｃ）、その受信したディジタル識別信号ＤＩＳのモデム信号を内容の変更なしにそのままパケットに変換して発信側Ｔ．３８端末に送信してしまう（処理４１０：図１２のフェーズＦ２９ｅ）。
【０１１０】
すると、発信側Ｔ．３８端末（を介した発信側Ｇ３ファクス４０ａ）は、フェーズＦ２９ｃで通知された着信側の通信速度能力と自装置の通信速度能力の範囲内の通信速度（通常は最大の通信速度）を設定して、その他の通信パラメータの設定と共にディジタル送信命令信号ＤＣＳにより送信してくるため、そのディジタル送信命令信号ＤＣＳを受信する（処理４１１：フェーズＦ２９ｆ）。
【０１１１】
そして、その受信したディジタル送信命令信号ＤＣＳのＦＩＦ（ファクシミリ情報フィールド）の内容のうちのビット１１、１２、１３及び１４の組合せにより通知される発信側において設定された通信速度に対応する必要ネットワーク帯域Ｂｈを図４に示したようなテーブルを参照することにより、または、ネットワーク遅延係数を乗じることにより取得する（処理４１２）。
【０１１２】
次に、処理４１２で取得した必要ネットワーク帯域Ｂｈが、処理４０４で取得・保持していた割当ネットワーク帯域Ｂｗより広いか否かを判断する（判断４１３）。
【０１１３】
そして、必要ネットワーク帯域Ｂｈが割当ネットワーク帯域Ｂｗ以下の場合には（判断４１３のＮｏ）、発信側Ｔ．３８端末からトレーニングチェック信号ＴＣＦのパケットを受信する（処理４１５：図１２のフェーズＦ２９ｈ）。ただし、その場合受信したＴＣＦ信号のパケットについては、モデム信号に変換して着信側Ｇ３ファクス４０ｂに送信する処理は行わない。
【０１１４】
そして、その受信したＴＣＦ信号のパケットに対して、トレーニングエラー信号ＦＴＴのパケットを発信側Ｔ．３８端末に送信して（処理４１６：図１２のフェーズＦ２９ｉ）、処理４１１に戻る。その場合処理４１１で受信するディジタル送信命令信号ＤＣＳの通信速度の設定は、発信側Ｔ．３８端末（を介したＧ３ファクス４０ａ）において前に設定した速度よりも遅く設定されていることになる。
【０１１５】
そのため、判断４１３がＮｏとなった場合でも、判断４１３のＮｏのループが１回または複数回繰り返されることで、必要ネットワーク帯域Ｂｈが割当ネットワーク帯域Ｂｗよりも狭くなり、判断４１３がＹｅｓとなる。
【０１１６】
判断３１４がＹｅｓとなって初めて、処理４１１でパケットとして受信したディジタル識別信号ＤＩＳをモデム信号に変換して、着信側Ｇ３ファクス４０ｂに送信し（処理４１６：図１２のフェーズＦ２９ｇ）、以後フェーズＦ２９のファクスプロトコル処理を継続する。
【０１１７】
このように、発信側Ｔ．３８端末から受信したディジタル送信命令信号ＤＣＳにより設定された通信速度ではモデムトレーニングが失敗してしまうとみせかけて、帯域オーバーとなるような通信速度が発信側Ｔ．３８端末（を介したＧ３ファクス４０ａ）において設定されてしまうことを防止することで、ゲートキーパ装置３０ｂから割り当てられるネットワーク帯域の広さによらず、常に正常なリアルタイムネットワーク通信の中継が可能となり、また、発信側のＴ．３８端末（を介したＧ３ファクス４０ａ）において最終的に設定される通信速度に合わせて必要ネットワーク帯域Ｂｈが割当ネットワーク帯域Ｂｗ以下になるように調節されるため、割当ネットワーク帯域Ｂｗを無駄なく使用して効率的なファクシミリ通信が可能となる。
【０１１８】
次に、ゲートウェイ装置１における第３実施形態に係る処理手順について説明する。
【０１１９】
第３実施形態に係る処理手順は、ゲートウェイ装置１が、発信側ＧＷ１ａとなって行う発信側処理と、着信側ＧＷ１ｂとなって行う着信側処理との２通りがある。
【０１２０】
先ず、発信側処理について、図１３を参照して説明する。図１３の処理５０１ないし処理５０５までの処理手順は、第１実施形態に係る図５の処理手順における処理１０１ないし１０４、または、第２実施形態に係る図９に示す処理３０１ないし３０４に置換される処理である。
【０１２１】
つまり、図１３において、発信側ＧＷ１ａは、発信側Ｇ３ファクス４０ａからの電話網５０ａを介した着呼を受け（処理５０１）、その着呼に対して応答を行う（処理５０２）。
【０１２２】
そして、着信側の宛先（ＩＰアドレス（及びファクス番号））を取得する（処理５０３）。
【０１２３】
ここまでの処理は、処理１０１ないし処理１０３、または、処理３０１ないし市より３０３と同様であるが、処理５０４では、記憶装置５に予め設定・記憶していた割当要求ネットワーク帯域を取得する。この割当要求ネットワーク帯域は、その広さが、中継するリアルタイムネットワークファクシミリ通信において設定され得る最大のファクシミリ通信速度に相当する広さとする。具体的には、例えば、発信側ＧＷ１ａが対応しているファクシミリ通信速度が、14,000bpsであれば、相当する帯域は、ネットワーク遅延係数を１．２とすれば、図４を見て明らかなように、17,280bpsが、割当要求ネットワーク帯域となる。
【０１２４】
そして、取得した割当要求ネットワーク帯域の要求を伴うＡＲＱパケットを
ゲートキーパ装置３０ａに送信して、ゲートキーパ装置３０ａに対して通信開始要求を行うとともに帯域の確保を要求する（ARQのオプションデータで設定する）。
【０１２５】
この場合、実際に帯域が確保されるかどうかはゲートキーパ装置３０ａが決定するため、要求した帯域が確保されるとは限らないが、要求した通りの帯域が確保された場合には、図５の処理１０５以降の処理手順、または、図９の処理３０５以降の処理手順において、割当ネットワーク帯域Ｂｗ以下に、必要ネットワーク帯域Ｂｈがなるように必要ネットワーク帯域Ｂｈのほうを狭くするような調節が不要となるため、通信速度が帯域の狭さのために制限されることがなく、効率的なファクシミリ通信ができるようになり、要求した通りの帯域が確保されない場合でも、図５の処理１０５以降の処理手順、または、図９の処理３０５以降の処理手順において、割当ネットワーク帯域Ｂｗ以下に、必要ネットワーク帯域Ｂｈがなるように必要ネットワーク帯域Ｂｈのほうを狭くするような調節が行われるため、通信エラーが生じてしまうことがない。なお、要求した通りの帯域が確保されることが保証されるような状況では、図５の処理１０５以降の処理手順、または、図９の処理３０５以降の処理手順において、割当ネットワーク帯域Ｂｗ以下に、必要ネットワーク帯域Ｂｈがなるように必要ネットワーク帯域Ｂｈのほうを狭くするような調節は不要となる。
【０１２６】
次に、着信側処理について、図１４を参照して説明する。図１４の処理６０１ないし処理６０３までの処理手順は、第１実施形態に係る図７の処理手順における処理２０１ないし２０２、または、第２実施形態に係る図１１に示す処理４０１ないし４０２に置換される処理である。
【０１２７】
つまり、図１４において、着信側ＧＷ１ｂは、呼制御用ＴＣＰチャンネルの確立後、発信側Ｔ．３８端末（ＩＡＦ２０ａまたはＧＷ１ａ）からＳＥＴＵＰパケットを受信する（処理６０１）。
【０１２８】
以後は、パケット網６０ａを介した通信が開始されることになるが、その通信開始に先立って、処理６０２では、記憶装置５に予め設定・記憶していた割当要求ネットワーク帯域を取得する。
【０１２９】
そして、取得した割当要求ネットワーク帯域の要求を伴うＡＲＱパケットを
ゲートキーパ装置３０ｂに送信して、ゲートキーパ装置３０ｂに対して通信開始要求を行うとともに帯域の確保を要求する（ARQのオプションデータで設定する）。
【０１３０】
この場合、実際に帯域が確保されるかどうかはゲートキーパ装置３０ａが決定するため、要求した帯域が確保されるとは限らないが、要求した通りの帯域が確保された場合には、図７の処理２０３以降の処理手順、または、図１１の処理４０３以降の処理手順において、割当ネットワーク帯域Ｂｗ以下に、必要ネットワーク帯域Ｂｈがなるように必要ネットワーク帯域Ｂｈのほうを狭くするような調節が不要となるため、通信速度が帯域の狭さのために制限されることがなく、効率的なファクシミリ通信ができるようになり、要求した通りの帯域が確保されない場合でも、図７の処理２０３以降の処理手順、または、図１１の処理４０３以降の処理手順において、割当ネットワーク帯域Ｂｗ以下に、必要ネットワーク帯域Ｂｈがなるように必要ネットワーク帯域Ｂｈのほうを狭くするような調節が行われるため、通信エラーが生じてしまうことがない。なお、要求した通りの帯域が確保されることが保証されるような状況では、図７の処理２０３以降の処理手順、または、図１１の処理４０３以降の処理手順において、割当ネットワーク帯域Ｂｗ以下に、必要ネットワーク帯域Ｂｈがなるように必要ネットワーク帯域Ｂｈのほうを狭くするような調節は不要となる。
【０１３１】
次に、ゲートウェイ装置１における第４実施形態に係る処理手順について図１５を参照して説明する。
【０１３２】
図１５の処理手順は、第１実施形態に係る図５の処理手順における処理１１１と判断１１２との間、または、第１実施形態に係る図７に示す処理２１０と判断２１１との間に挿入される処理である。
【０１３３】
つまり、図１５において、図５の処理１１１または図７の処理２１０で取得した必要ネットワーク帯域Ｂｈが、図５の処理１０６または図７の処理２０４で取得・保持していた割当ネットワーク帯域Ｂｗより広いか否かを判断する（判断７０１）。
【０１３４】
判断７０１で必要ネットワーク帯域Ｂｈが、割当ネットワーク帯域Ｂｗ以下の場合には（判断７０１のＮｏ）、割当ネットワーク帯域Ｂｗは現状のままで足りるため、なにもしないで、図５の判断１１２または図７の判断２１１に移行する。
【０１３５】
判断７０１で必要ネットワーク帯域Ｂｈが、割当ネットワーク帯域Ｂｗよりも広い場合には（判断７０１のＹｅｓ）、割当ネットワーク帯域Ｂｗが現状のままでは足りないため、必要ネットワーク帯域Ｂｈへの帯域変更要求を伴う帯域変更要求のためのパケットＢＲＱをゲートキーパ装置３０ａまたはゲートキーパ装置３０ｂに送信し（処理７０２）、ＢＲＱパケットに対する応答としてのＢＣＦパケットを受信できた場合には（判断７０３のＹｅｓ）、それまで記憶装置５に保持していた割当ネットワーク帯域Ｂｗを、そのＢＣＦパケットにより通知された割当変更後の割当ネットワーク帯域Ｂｗに更新して（処理７０４）、図５の判断１１２または図７の判断２１１に移行する。ＢＣＦパケットを受信できなかった場合には（判断７０３のＮｏ）、記憶装置５に保持していた割当ネットワーク帯域Ｂｗの変更がないまま図５の判断１１２または図７の判断２１１に移行する。
【０１３６】
この場合、実際に帯域が確保されるかどうかはゲートキーパ装置３０ａまたは３０ｂが決定するため、要求した帯域が確保されるとは限らないが、要求した通りの帯域が確保された場合には、図５の判断１１２以降の処理手順、または、図７の判断２１１以降の処理手順において、割当ネットワーク帯域Ｂｗ以下に、必要ネットワーク帯域Ｂｈがなるように必要ネットワーク帯域Ｂｈのほうを狭くするような調節が不要となるため、通信速度が帯域の狭さのために制限されることがなく、効率的なファクシミリ通信ができるようになり、要求した通りの帯域が確保されない場合でも、図５の判断１１２以降の処理手順、または、図７の判断２１１以降の処理手順において、割当ネットワーク帯域Ｂｗ以下に、必要ネットワーク帯域Ｂｈがなるように必要ネットワーク帯域Ｂｈのほうを狭くするような調節が行われるため、通信エラーが生じてしまうことがない。また、処理７０２で設定変更要求する割当ネットワーク帯域Ｂｗは、実際に着信側からディジタル識別信号ＤＩＳにより通知された通信速度能力に相当する分だけであるため、無駄なネットワーク帯域の消費されてしまうことがない。
【０１３７】
次に、ゲートウェイ装置１における第５実施形態に係る処理手順について図１６を参照して説明する。
【０１３８】
図１６の処理手順は、第２実施形態に係る図９の処理手順における処理３１０と処理３１１との間、または、第２実施形態に係る図１１に示す処理４０９と処理４１０との間に挿入される処理である。
【０１３９】
つまり、図１６において、図９の処理３１０によりパケットで、または、図１１の処理４０９によりモデム信号として受信したディジタル識別信号ＤＩＳにより通知された通信速度能力に対応する必要ネットワーク帯域Ｂｈを図４に示したようなテーブルを参照することにより、または、ネットワーク遅延係数を乗じることにより取得する（処理８０１）。
【０１４０】
そして、処理８０１により取得した必要ネットワーク帯域Ｂｈが、図９の処理３０６または図１１の処理４０４で取得・保持していた割当ネットワーク帯域Ｂｗより広いか否かを判断する（判断８０２）。
【０１４１】
判断８０２で必要ネットワーク帯域Ｂｈが、割当ネットワーク帯域Ｂｗ以下の場合には（判断８０２のＮｏ）、割当ネットワーク帯域Ｂｗは現状のままで足りるため、なにもしないで、図９の処理３１１または図１１の処理４１０に移行する。
【０１４２】
判断８０２で必要ネットワーク帯域Ｂｈが、割当ネットワーク帯域Ｂｗよりも広い場合には（判断８０２のＹｅｓ）、割当ネットワーク帯域Ｂｗが現状のままでは足りないため、必要ネットワーク帯域Ｂｈへの帯域変更要求を伴う帯域変更要求のためのパケットＢＲＱをゲートキーパ装置３０ａまたはゲートキーパ装置３０ｂに送信し（処理８０３）、ＢＲＱパケットに対する応答としてのＢＣＦパケットを受信できた場合には（判断８０４のＹｅｓ）、それまで記憶装置５に保持していた割当ネットワーク帯域Ｂｗを、そのＢＣＦパケットにより通知された割当変更後の割当ネットワーク帯域Ｂｗに更新して（処理８０５）、図９の処理３１１または図１１の処理４１０に移行する。ＢＣＦパケットを受信できなかった場合には（判断８０４のＮｏ）、記憶装置５に保持していた割当ネットワーク帯域Ｂｗの変更がないまま図９の処理３１１または図１１の処理４１０に移行する。
【０１４３】
この場合、実際に帯域が確保されるかどうかはゲートキーパ装置３０ａまたは３０ｂが決定するため、要求した帯域が確保されるとは限らないが、要求した通りの帯域が確保された場合には、図９の処理３１１移行の処理手順、または、図１１の処理４１０移行の処理手順において、割当ネットワーク帯域Ｂｗ以下に、必要ネットワーク帯域Ｂｈがなるように必要ネットワーク帯域Ｂｈのほうを狭くするような調節が不要となるため、通信速度が帯域の狭さのために制限されることがなく、効率的なファクシミリ通信ができるようになり、要求した通りの帯域が確保されない場合でも、図９の処理３１１移行の処理手順、または、図１１の処理４１０移行の処理手順において、割当ネットワーク帯域Ｂｗ以下に、必要ネットワーク帯域Ｂｈがなるように必要ネットワーク帯域Ｂｈのほうを狭くするような調節が行われるため、通信エラーが生じてしまうことがない。また、処理８０３で設定変更要求する割当ネットワーク帯域Ｂｗは、実際に着信側からディジタル識別信号ＤＩＳにより通知された通信速度能力に相当する分だけであるため、無駄なネットワーク帯域の消費されてしまうことがない。
【０１４４】
このように本実施の形態によればゲートウェイ装置１において、ゲートキーパ装置３０から割り当てられた割当ネットワーク帯域が、最終的に設定されるファクシミリ通信速度に相当する必要ネットワーク帯域以上になるように調節されるため、正常なリアルタイムネットワークファクシミリ通信を保証することができるようになる。
【０１４５】
なお、以上説明した実施の形態においては、ＧＷタイプのＴ．３８端末であるゲートウェイ装置１に本発明を適用したが、本発明はそれに限らず、ゲートウェイ装置１と同様なリアルタイムファクシミリ通信の中継機能を兼ね備えたＩＡＦタイプのＴ．３８端末（ネットワークファクシミリ装置）、ゲートウェイ装置１と同様なリアルタイムファクシミリ通信の中継機能を兼ね備えたＧ３ファクシミリ装置等に対しても同様に適用可能であることはいうまでもない。
【０１４６】
【発明の効果】
請求項１、３または５に係る発明によれば、前記パケット網の残ネットワーク帯域が少ない等の理由で、前記必要ネットワーク帯域よりも、前記ゲートキーパ装置により実際に割り当てられた割当ネットワーク帯域のほうが狭くなってしまうような場合には、発信側の前記ファクシミリ装置からファクシミリ制御信号で設定された通信速度でのモデムトレーニングが失敗したかのようにみせかけて最終的な設定通信速度に相当する前記必要ネットワーク帯域が前記割当ネットワーク帯域以下になるように調節することができ、前記割当ネットワーク帯域が狭い場合でも、通信エラーの発生を防止した正常な通信が可能となる効果が得られる。また、着信側からのファクシミリ制御信号による通信速度能力ではなく、発信側からのファクシミリ制御信号による設定通信速度により通信速度を調節するようにしているため、割当ネットワーク帯域の範囲内でネットワーク帯域の無駄のない最適通信速度に調節することができる利点がある。
【０１４７】
請求項２，４または６に係る発明によれば、前記パケット網の残ネットワーク帯域が少ない等の理由で、前記必要ネットワーク帯域よりも、前記ゲートキーパ装置により実際に割り当てられた割当ネットワーク帯域のほうが狭くなってしまうような場合には、発信側の前記相手端末装置からファクシミリ制御信号で設定された通信速度でのモデムトレーニングが失敗したかのようにみせかけて最終的な設定通信速度に相当する前記必要ネットワーク帯域が前記割当ネットワーク帯域以下になるように調節することができ、前記割当ネットワーク帯域が狭い場合でも、通信エラーの発生を防止した正常な通信が可能となる効果が得られる。また、着信側からのファクシミリ制御信号による通信速度能力ではなく、発信側からのファクシミリ制御信号による設定通信速度により通信速度を調節するようにしているため、割当ネットワーク帯域の範囲内でネットワーク帯域の無駄のない最適通信速度に調節することができる利点がある。
【０１４８】
請求項７〜１４に係る発明によれば、通知元の通信速度に基づいて通信に用いるネットワーク帯域を変更することができるので、同じ割当ネットワーク帯域値であっても、通知元の通信速度が低速のときには小さいネットワーク帯域値に基づく通信を採用することで帯域オーバーによる通信エラーを回避する一方、通知元の通信速度が高速のときには大きいネットワーク帯域値に基づく通信を採用することで帯域オーバーの無い高速通信を実現することができる。
【図面の簡単な説明】
【図１】本発明の実施の形態に係るゲートウェイ装置を含むリアルタイムネットワークファクシミリ通信システムの構成について示す図である。
【図２】本発明の実施の形態に係るゲートウェイ装置のブロック構成について示す図である。
【図３】本発明の実施の形態に係るゲートウェイ装置におけるソフトウェア構成について示す図である。
【図４】電話網を介した各通信速度にそれぞれ対応する必要ネットワーク帯域について示すテーブルである。
【図５】本発明の実施の形態に係るゲートウェイ装置における第１実施形態に係る発信側処理手順について示すフローチャートである。
【図６】図５の処理手順に対応する通信シーケンスについて示す図である。
【図７】本発明の実施の形態に係るゲートウェイ装置における第１実施形態に係る着信側処理手順について示すフローチャートである。
【図８】図７の処理手順に対応する通信シーケンスについて示す図である。
【図９】本発明の実施の形態に係るゲートウェイ装置における第２実施形態に係る発信側処理手順について示すフローチャートである。
【図１０】図９の処理手順に対応する通信シーケンスについて示す図である。
【図１１】本発明の実施の形態に係るゲートウェイ装置における第２実施形態に係る着信側処理手順について示すフローチャートである。
【図１２】図１１の処理手順に対応する通信シーケンスについて示す図である。
【図１３】本発明の実施の形態に係るゲートウェイ装置における第３実施形態に係る発信側処理手順について示すフローチャートである。
【図１４】本発明の実施の形態に係るゲートウェイ装置における第３実施形態に係る着信側処理手順について示すフローチャートである。
【図１５】本発明の実施の形態に係るゲートウェイ装置における第４実施形態に係る処理手順について示すフローチャートである。
【図１６】本発明の実施の形態に係るゲートウェイ装置における第５実施形態に係る処理手順について示すフローチャートである。
【符号の説明】
１  ゲートウェイ装置
２  システム制御部
３  ＲＯＭ
４  ＲＡＭ
５  記憶装置
６  オペポート
７  ＬＡＮコントローラ
８  トランス
１２  モデム
１３  網制御部
１４  システムバス
２０ａ、２０ｂ  ＩＡＦ
３０ａ、３０ｂ  ゲートキーパ装置
４０ａ、４０ｂ  Ｇ３ファクス
５０、５０ａ、５０ｂ  電話網
６０、６０ａ、６０ｂ  パケット網
７０  通信ライン
【図１】
0003907945.tif 000002
【図２】
0003907945.tif 000003
【図３】
0003907945.tif 000004
【図４】
0003907945.tif 000005
【図５】
0003907945.tif 000006
【図６】
0003907945.tif 000007
【図７】
0003907945.tif 000008
【図８】
0003907945.tif 000009
【図９】
0003907945.tif 000010
【図１０】
0003907945.tif 000011
【図１１】
0003907945.tif 000012
【図１２】
0003907945.tif 000013
【図１３】
0003907945.tif 000014
【図１４】
0003907945.tif 000015
【図１５】
0003907945.tif 000016
【図１６】
0003907945.tif 000017